(57)【要約】【課題】  床パンの壁載せ部にパネルを載置して固定する場合、パネルの立ち位置を、簡単、迅速、正確に調整できるようにする。【解決手段】  浴室の床パン１の周辺の壁載せ部２にパネル３を載せ、固定金具４を介してネジ止めする。パネル３の側辺部に沿って起立する建築躯体９に、パネル３の立ち位置を前後方向に微調整するための調整金具１０を設け、この調整金具１０を介してパネル３を位置決めして固定する。固定金具４は、コの字形に形成するのが良い。この場合は、パネル３を、コの字形固定金具４の対向する平行一対の腕片４ａ、４ｂの間に介在させて浴室内側の腕片４ａにネジ止めし、浴室外側の腕片４ｂを、床パン１の壁載せ部２の垂直状の立ち上がり壁２ａにネジ止めする。【選択図】      図１
2006207349.tif 000002
【特許請求の範囲】
【請求項１】
浴室の床パンの周辺の壁載せ部にパネルが載せられて固定金具を介してネジ止めされる浴室パネルの固定構造であって、上記のパネルの側辺部に沿って起立する建築躯体に、パネルの立ち位置を前後方向に微調整するための調整金具が設けられ、この調整金具を介してパネルが位置決めされて固定されることを特徴とする浴室パネルの固定構造。
【請求項２】
請求項１記載の浴室パネルの固定構造であって、固定金具がコの字形に形成され、パネルがこのコの字形固定金具の対向する平行一対の腕片の間に介在されてコの字形固定金具の浴室内側の腕片にネジ止めされ、またコの字形固定金具の浴室外側の腕片が床パンの壁載せ部の垂直状の立ち上がり壁にネジ止めされていることを特徴とする浴室パネルの固定構造。
【請求項３】
請求項１又は２記載の浴室パネルの固定構造であって、調整金具が、パネルの前後方向に進退動作するボルトを備え、このボルトのねじ込み量で位置調整可能に形成されていることを特徴とする浴室パネルの固定構造。
【請求項４】
請求項１乃至３の何れかに記載の浴室パネルの固定構造であって、コの字形固定金具が、パネルの底辺部の左右方向のほぼ中央位置と、側辺部の下部に設けられていることを特徴とする浴室パネルの固定構造。
【発明の詳細な説明】
【技術分野】
【０００１】
本発明は、浴室パネルの固定構造に関し、更に詳しくは浴室の出窓の下側の壁を形成する出窓パネルや、洗面器等を載置するためのカウンターパネル、或いは壁パネル等のパネルを、床パンの周辺の壁載せ部に載置して固定するときの浴室パネルの固定構造に関するものである。
【背景技術】
【０００２】
従来この種の固定構造としては、例えば本出願人の提案に係る特許文献１に記載の発明がある。この従来例は、カウンターパネルに一方の固定金具を取り付け、この一方の固定金具と嵌合する他方の固定金具を壁パネルに取り付け、一方の固定金具と他方の固定金具を嵌合操作することで、カウンターパネルと壁パネルとを固定可能に形成しているものである。
【０００３】
ところで出窓パネルやカウンターパネル等のパネルは、僅かなレベルの狂いがカウンター面の排水性に大きな影響を及ぼすことがある。従ってこの種のパネルを設置する場合は、傾きを含む立ち位置を、簡単、迅速、正確に決定できるのが望ましい。
しかるに従来、この種のパネルの立ち位置調整は、この種のパネルに連結する壁パネルに依存していた。而して壁パネルと連結するための連結部材同士（特許文献１記載の一対の固定金具参照）の間には、遊びも必要なため、従来は正確な立ち位置を簡単に出すことができず、立ち位置の調整に手間暇がかかり易い、という問題点があった。
【特許文献１】特許第３５６７７２４号公報
【発明の開示】
【発明が解決しようとする課題】
【０００４】
本発明は、このような従来技術の問題点に鑑み、提案されたものである。
従って本発明の解決しようとする技術的課題は、床パンの壁載せ部にパネルを載置して固定する場合、パネルの前後の立ち位置調整を、簡単、迅速、正確にできるよう形成した浴室パネルの固定構造を提供することにある。
【課題を解決するための手段】
【０００５】
本発明は、上記の課題を解決するため、次のような技術的手段を採る。
即ち本発明は、図１等に示されるように、浴室の床パン１の周辺の壁載せ部２にパネル３が載せられて固定金具４を介してネジ止めされる浴室パネルの固定構造であって、上記のパネル３の側辺部に沿って起立する建築躯体９に、パネル３の立ち位置を前後方向に微調整するための調整金具１０が設けられ、この調整金具１０を介してパネル３が位置決めされて固定されることを特徴とする（請求項１）。
ここで、立ち位置とは、パネル３の傾きや前後方向の位置を意味する。立ち位置が傾きの場合は、通常、パネル３が調整金具１０で垂直に調整されることを意味する。
【０００６】
而してこの場合本発明は、固定金具４がコの字形に形成され、パネル３がこのコの字形固定金具４の対向する平行一対の腕片４ａ、４ｂの間に介在されてコの字形固定金具４の浴室内側の腕片４ａにネジ止めされ、またコの字形固定金具４の浴室外側の腕片４ｂが床パン１の壁載せ部２の垂直状の立ち上がり壁２ａにネジ止めされているのが好ましい（請求項２）。
【０００７】
従来、この種のパネル３と床パン１との固定は、壁載せ部２の水平面にＬ字形金具をネジ止めし、この金具の垂直片とパネル３の底辺部とをネジ止めするのが通例であった。従って従来のこの種の固定構造によると、壁載せ部２の水平面のネジ止め箇所から水漏れの惧れがあり、またパネル３が設置作業時に傾倒すると、Ｌ字形金具にパネル３の荷重が加わり、この金具が取り付けられている壁載せ部２の箇所が損壊することがあった。
またこの種のパネル３は、成型品のため、例えば反りがあると、固定状態が弱くなり易い。従ってこの種のパネル３は、確実且つ堅固に床パン１の壁載せ部２に固定できるのが望ましい。しかしながら従来は、上記のように、Ｌ字形金具でパネル３と床パン１の壁載せ部２とを固定する構造であったから、従来構造によると、パネル３とＬ字形金具の接合面に隙間ができ易く、固定箇所の強度が不十分になり易い、という問題点があった。請求項２に係る本発明の場合は、このような従来の問題点を解消できるものである。即ちこれによると、床パン１の壁載せ部２にパネル３を載置して固定する場合、壁載せ部２の固定金具４の箇所の水漏れや損壊を防止でき、確実且つ堅固にパネル３を床パン１に固定できる。
【０００８】
また本発明は、調整金具１０が、パネル３の前後方向に進退動作するボルト１４を備え、このボルト１４のねじ込み量で位置調整可能に形成されているのが好ましい（請求項３）。
なぜならこれによると、調整金具１０の構造を簡単化でき、その分、調整金具１０を低廉化でき、またボルト１４のねじ込み量を調節することで、簡単且つ迅速に、また正確にパネル３の前後位置を調整できるからである。
【０００９】
また請求項１乃至３の何れかに記載の本発明は、コの字形固定金具４が、パネル３の底辺部の左右方向のほぼ中央位置と、側辺部の下部に設けられているのが好ましい（請求項４）。
なぜならこれによると、コの字形固定金具４をパネル３の反りや歪みに対応できる要所に配置でき、コの字形固定金具４の使用個数を必要最低限に抑えることができるからである。またこの場合は、パネル３の角は側辺部の下部をコの字形固定金具４で固定しているため、コの字形固定金具４とパネル３とのネジ止め位置が高くなり、その分、水漏れ事故を防止できるからである。
【発明の効果】
【００１０】
本発明の浴室パネルの固定構造は、このように形成されている。従ってこれによれば、床パンの壁載せ部にパネルを載置して固定する場合、パネルの立ち位置調整を、調整金具によって簡単、迅速、正確にできる。
【発明を実施するための最良の形態】
【００１１】
以下、本発明を実施するための最良の形態を説明する。
１は浴室の床パンであり、２はこの床パン１の周辺の壁載せ部である。また３は、この壁載せ部２に載せられて固定金具４を介してネジ止めされるパネルである。パネル３は、この実施形態では出窓５の下側の壁を形成するための出窓パネルである。出窓５は、洗い場と浴槽に夫々対応する引き違い戸５ａ、５ａを有している。従ってパネル３の横幅は、浴室の一側壁の左右方向の長さに対応して長く形成されている。
【００１２】
上記の固定金具４は、コの字形に形成されている。パネル３は、図４に示されるように、このコの字形固定金具４の対向する平行一対の腕片４ａ、４ｂの間に介在されてコの字形固定金具４の浴室内側（洗い場に面する側）の腕片４ａに、螺子６で固定されている。またコの字形固定金具４の浴室外側（パネル３の裏側）の腕片４ｂは、上記床パン１の壁載せ部２の垂直状の立ち上がり壁２ａにビス７で止め付けられる。
【００１３】
またコの字形固定金具４は、この実施形態では、図１に示されるように、パネル３の底辺部の左右方向のほぼ中央位置と、側辺部の下部に設けられている。パネル３のほぼ中央位置に設けられるコの字形固定金具４は、図４、図５に示されるように、この実施形態では浴室内側の腕片４ａの左右位置に、ネジ孔４ａ１が形成され、また平行一対の腕片４ａ、４ｂの間の外寸幅Ｄ（図５Ｃ参照）は、床パン１の壁載せ部２の水平面の奥行幅に合わせて形成されている。またパネル３の側辺部の下部に設けられるコの字形固定金具４は、図６、図７Ａに示されるように、浴室内側の腕片４ａにパネル３との連結用のネジ孔４ａ１が形成されると共に、浴室外側の腕片４ｂに、Ｌ字形板金８とのネジ止め用の孔４ｂ１が形成されている。Ｌ字形板金８は、その垂直片部８ａにコの字形固定金具４の腕片４ｂとの連結用ネジ止め孔８ａ１が形成され、水平片部８ｂに床パン１の壁載せ部２の立ち上がり壁２ａとのネジ止め用孔８ｂ１が形成されている。
【００１４】
９（図１、図８等参照）は、パネル３の側辺部に沿って起立する建築躯体としての柱である。また１０は、パネル３の立ち位置を前後方向に微調整するための調整金具である。この調整金具１０は、建築躯体９としての柱の所定の高さにネジ止めされる鉤形金具１１と、この鉤形金具１１にネジ１２で固定される矩形プレート１３と、この矩形プレート１３に螺合されてパネル３の前後方向に進退動作するボルト１４を備えて形成されている。鉤形金具１１は、矩形プレート１３と接合する板片部１１ａに、ボルト１４の逃げ箇所としての切り欠き１１ｂが形成されている。矩形プレート１３は、図１０に示されるように、鉤形金具１１の板片部１１ａ（図９参照）に形成されている上下一対の孔１１ｃに対応するネジ挿通孔１３ａが、長手方向に沿って平行状に多数形成されている。これは、パネル３の左右の立ち位置を調整したとき、矩形プレート１３を鉤形金具１１に、最適なネジ挿通孔１３ａを利用して容易に固定できるようにする必要からである。また矩形プレート１３は、長手方向の一方に、上記のボルト１４を螺合させるためのナット１３ｂが溶接されている。ボルト１４は、このナット１３ｂに螺合してパネル３の前後方向に進退動作自在に設けられている。
【００１５】
１４ａ（図８参照）は、ボルト１４の先端（前端）を受けるボルト受け金具である。このボルト受け金具１４ａは、コの字形に形成され、パネル３に横方向から嵌挿され、洗い場に面する前側の腕片１４ａ１がパネル３にネジ止めされ、パネル３の裏側に配置される後ろ側の腕片１４ａ２の後面に、ボルト１４の先端が当接可能に取り付けられている。ボルト受け金具１４ａの腕片１４ａ１、１４ａ２の間隔は、パネル３と建築躯体９との前後の間隔や、ボルト１４の長さ等に鑑み、適宜選定される。
【００１６】
また１５（図１１〜図１３等参照）は、壁パネル１６との連結用金具である。この連結用金具１５は、パネル３としての出窓パネルの側辺部の中程に、縦方向に沿ってネジ１７（図１１参照）で取り付けられ、壁パネル１６の背面側の側辺部に縦方向に設けられる角筒状の金具１８と協働し、パネル３と壁パネル１６とを連結するためのものである。連結用金具１５は、ほぼ軽みぞ形鋼状の本体部１５ａの内面に、ジョイントビス状の嵌合部１５ｂが取り付けられている。また角筒状の金具１８は、嵌合部１５ｂの首部と係合して嵌合部１５ｂを縦方向に案内するスリット１８ａを備え、連結用金具１５の本体部１５ａの縦片１５ｃが係合する溝状の隙間Ｓをあけて設けられている。またこの角筒状の金具１８は、スリット１８ａが形成された面の板厚が、嵌合部１５ｂの首部の長さと同一に選定され、嵌合部１５ｂを挿通させる透孔１８ｂを適宜位置に備えて形成されている。透孔１８ｂは、角筒状の金具１８のスリット１８ａが形成された面に、その中心をスリット１８ａの中心位置に合わせてスリット１８ａと連通状に形成されている。
【００１７】
次にパネル３の具体的な固定作業の一例を説明する。
先ず作業者は、パネル３の底辺部のほぼ中央位置と、側辺部の下部に、コの字形固定金具４を嵌挿させ、浴室内側の腕片４ａとパネル３を洗い場の側からネジ止めする。またパネル３の側辺部の中程に連結用金具１５を取り付ける。次に作業者は、建築躯体９としての柱に、鉤形金具１１をネジ止めし、この鉤形金具１１に矩形プレート１３をネジ止めして、矩形プレート１３のナット１３ｂにボルト１４を後側からネジ込む。そしてこの状態で、パネル３としての出窓パネルを、床パン１の壁載せ部２に仮置きする。
【００１８】
次に作業者は、壁パネル１６の角筒状の金具１８の透孔１８ｂを、連結用金具１５の嵌合部１５ｂに嵌挿させてから、壁パネル１６を引き降ろし、嵌合部１５ｂの首部と壁パネル１６の角筒状の金具１８のスリット１８ａを係合させて壁パネル１６とパネル３を連結し、壁パネル１６を立てる。次に作業者は、パネル３のほぼ中央位置のコの字形固定金具４の浴室外側の腕片４ｂと、床パン１の壁載せ部２の立ち上がり壁２ａとを後ろ側からビス７で固定する。また作業者は、図６に示されるように、Ｌ字形板金８の水平片部８ｂを、床パン１の立ち上がり壁２ａに外側からネジ止めすると共に、垂直片部８ａとコの字形固定金具４の浴室外側の腕片４ｂとをネジ止めし、Ｌ字形板金８及びコの字形固定金具４を介してパネル３と床パン１を固定する。そしてその後、作業者は、ボルト１４を回してボルト１４の先端をボルト受け金具１４ａの後ろ側の腕片１４ａ２の後面に当接させ、パネル３が垂直になるよう、ボルト１４を正逆回転させてねじ込み量を調節し、パネル３の前後の傾きを微調整する。
【００１９】
以上の処において、本発明は、上記の調整金具１０が、図１４に示されるように、上記の矩形プレート１３を省略して形成されるのでも良い。この実施形態の調整金具１０は、建築躯体９にネジ止めされる鉤形金具１１の板片部１１ａにナット１３ｂが溶接され、ボルト１４をこのナット１３ｂに螺合させて前後方向に進退動作自在に備えている。１９は、鉤形金具１１と建築躯体９との間に挟まれるスペーサである。このスペーサ１９は、例えば木片等で形成され、鉤形金具１１は、左右方向の取付位置がこのスペーサ１９によって調整される。
【００２０】
また上例では、パネル３の側辺部の下部を床パン１に固定するコの字形固定金具４が、Ｌ字形板金８を用いてパネル３と床パン１とを固定しているが、本発明はこれに限定されるものではない。即ち本発明は、例えばコの字形固定金具４の浴室外側の腕片４ｂが下方に長く延ばされ、この延長片の下部が床パン１の立ち上がり壁２ａにネジ止め可能に形成されるのでも良い。
【図面の簡単な説明】
【００２１】
【図１】本発明構造の好適な一実施形態を示す、浴室の要部正面図である。
【図２】同上構造に係る浴室の要部平面図である。
【図３】同上構造に係る浴室の要部側面図である。
【図４】図１の引き出し線ＩＶの箇所の要部拡大斜視図である。
【図５】コの字形固定金具を示し、Ａは平面図、Ｂは正面図、Ｃは右側面図、Ｄは背面図である。
【図６】図１の引き出し線ＶＩの箇所の要部拡大斜視図である。
【図７】Ａは図６で示すコの字形固定金具の斜視図、ＢはＬ字形板金の斜視図である。
【図８】図１の引き出し線ＶIIIの箇所の要部拡大斜視図である。
【図９】鉤形金具の斜視図である。
【図１０】矩形プレートの斜視図である。
【図１１】連結用金具と壁パネルとの連結操作を説明するための要部拡大斜視図である。
【図１２】連結用金具の分解斜視図である。
【図１３】連結用金具を示し、Ａは左側面図、Ｂは正面図、Ｃは平面図である。
【図１４】調整金具の他の実施形態を示す要部拡大斜視図である。
【符号の説明】
【００２２】
１      床パン
２      壁載せ部
３      パネル
４      固定金具
９      建築躯体
１０    調整金具
【図１】
2006207349.tif 000003
【図２】
2006207349.tif 000004
【図３】
2006207349.tif 000005
【図４】
2006207349.tif 000006
【図５】
2006207349.tif 000007
【図６】
2006207349.tif 000008
【図７】
2006207349.tif 000009
【図８】
2006207349.tif 000010
【図９】
2006207349.tif 000011
【図１０】
2006207349.tif 000012
【図１１】
2006207349.tif 000013
【図１２】
2006207349.tif 000014
【図１３】
2006207349.tif 000015
【図１４】
2006207349.tif 000016